(57)【要約】【課題】時間差をおいての二回送付のメールを必要とせず、キー配信に十分な配慮がなされ、誤送信があったような場合にもEnd to End で安全性が担保され、受信者に使い勝手のよいセキュア情報伝達を実現する。【解決手段】前記情報提供装置を現して、受信側に既知の送信側属性情報としての送信側電話番号と前記情報受取装置を現して、送信側に既知の受信側属性情報としての受信側電話番号とを送信側情報として記録可能として、記録可能な電話番号の内、記録された送信側情報としての電話番号から添付ショートカットファイルを形成し、添付ショートカットファイルをメール画像に添付して、メールで送付可能なセキュアなファイルの送受信便を形成する。【選択図】図７
2020160637.tif 000002
【特許請求の範囲】
【請求項１】
セキュアなファイルの送受信便管理装置からネットワークシステム内の送信側の情報提供装置に送信側セキュアなファイルの送受信便システムが、そして受信側の情報受取装置に受信側セキュアなファイルの送受信便システムが提供されて形成されるセキュアなファイルの送受信便システムであって、
前記送信側セキュアなファイルの送受信便システムが、電子情報ファイルを割符分割して形成され、任意のクラウドに秘密分散された断片が送信のためにショートカットされることで生成されたショートカット情報を取得して、所有することで提供可能なショートカットファイルに前記ショートカット情報、及び前記情報提供装置を現して、受信側に既知の送信側属性情報と前記情報受取装置を現して、送信側に既知の受信側属性情報とを送信側情報として記録可能として、記録可能な送信者情報の内、記録された送信側情報から添付ショートカットファイルを形成し、当該添付ショートカットファイルをメール画像に添付して、メールで送付可能なセキュアなファイルの送受信便を形成し、  
前記受信側セキュアなファイルの送受信便システムが、送信されてきたセキュアなファイルの送受信便を受信し、前記添付ショートカットファイルに、記録された送信側情報に対応して、前記受信側に既知の送信側属性情報又は/及び前記送信側に既知の受信側属性情報が受信側情報として受信者によって記録されると、双方の情報が同一であるかを認証し、同一との認証が得られたときに、前記添付ショートカットファイルに添付された前記ショートカット情報に基づいて前記クラウドから、前記クラウドに保管された複数の割符をダウンロードさせて、前記情報提供装置に当該割符を電子的に合成させることで前記電子情報ファイルを復元させること
を特徴とする情報提供装置及び情報受取装置の間に形成されるセキュアなファイルの送受信便システム。
【請求項２】
請求項１に記載されたセキュアなファイルの送受信便システムにおいて、
前記受信側に既知の送信側属性情報及び送信側に既知の受信側属性情報が、相手側の電話番号、住所又は居所、インターネットのアドレス、パスワード、電子メイルアドレスの内のいずれか又はこれらの組み合わせの情報であることを特徴とするセキュアなファイルの送受信便システム。
【請求項３】
セキュアなファイルの送受信便管理装置からネットワークシステム内の送信側の情報提供装置に送信側セキュアなファイルの送受信便システムが、そして受信側の情報受取装置に受信側セキュアなファイルの送受信便システムが提供されて形成されるセキュアなファイルの送受信便システムであって、
前記送信側セキュアなファイルの送受信便システムが、電子情報ファイルを割符分割して形成され、任意のクラウドに秘密分散された断片が送信のためにショートカットされることで生成されたショートカット情報を取得して、所有することで提供可能なショートカットファイルに前記ショートカット情報、及び前記情報提供装置を現して、受信側に既知の送信側属性情報としての送信側電話番号と前記情報受取装置を現して、送信側に既知の受信側属性情報としての受信側電話番号とを送信側情報として記録可能として、記録可能な電話番号の内、記録された送信側情報としての電話番号から添付ショートカットファイルを形成し、当該添付ショートカットファイルをメール画像に添付して、メールで送付可能なセキュアなファイルの送受信便を形成し、  
前記受信側セキュアなファイルの送受信便システムが、送信されてきたセキュアなファイルの送受信便を受信し、前記添付ショートカットファイルに、記録された送信側情報としての電話番号に対応して、前記受信側に既知の送信側属性情報としての送信側電話番号又は/及び前記送信側に既知の受信側属性情報としての受信側電話番号が受信側情報として受信者によって記録されると、双方の情報が同一であるかを認証し、同一との認証が得られたときに、前記添付ショートカットファイルに添付された前記ショートカット情報に基づいて前記クラウドから、前記クラウドに保管された複数の割符をダウンロードさせて、前記情報提供装置に当該割符を電子的に合成させることで前記電子情報ファイルを復元させること
を特徴とする情報提供装置及び情報受取装置の間に形成されるセキュアなファイルの送受信便システム。
【請求項４】
請求項１〜３のいずれかに記載された情報提供装置及び情報受取装置の間に形成されるセキュアなファイルの送受信便システムにおいて、
当該セキュアなファイルの送受信便システムを管理するセキュアなファイルの送受信便管理装置によって、前記情報提供装置から前記情報受取装置への当該セキュアなファイルの送受信便の送信情報に基づいて、情報受取装置ごとに、当該情報提供装置から送信された当該セキュアなファイルの送受信便の送信回数あるいは送信された当該セキュアなファイルの送受信便に使用された前記送信側電話番号の使用回数が統計されることを特徴とする情報提供装置及び情報受取装置の間に形成されるセキュアなファイルの送受信便システム。
【請求項５】
セキュアなファイルの送受信便管理装置からネットワークシステム内の送信側の情報提供装置に送信側セキュアなファイルの送受信便システムが、そして受信側の情報受取装置に受信側セキュアなファイルの送受信便システムが提供されて形成される情報提供装置及び情報受取装置の間に形成されるセキュアなファイルの送受信便システムによるセキュアなファイルの送受信方法であって、
前記送信側セキュアなファイルの送受信便システムが、電子情報ファイルを割符分割して形成され、任意のクラウドに秘密分散された断片が送信のためにショートカットされることで生成されたショートカット情報を取得して、所有することで提供可能なショートカットファイルに前記ショートカット情報、及び前記情報提供装置を現して、受信側に既知の送信側属性情報としての送信側電話番号と前記情報受取装置を現して、送信側に既知の受信側属性情報としての受信側電話番号とを送信側情報として記録可能として、記録可能な電話番号の内、記録された送信側電話番号から添付ショートカットファイルを形成し、当該添付ショートカットファイルをメール画像に添付して、メールで送付可能なセキュアなファイルの送受信便を形成し、  
前記受信側セキュアなファイルの送受信便システムが、送信されてきたセキュアなファイルの送受信便を受信し、前記添付ショートカットファイルに、記録された送信側電話番号に対応して、前記受信側に既知の送信側属性情報としての送信側電話番号が受信側情報として受信者によって記録されると、双方の情報が同一であるかを認証し、同一との認証が得られたときに、前記添付ショートカットファイルに添付された前記ショートカット情報に基づいて前記クラウドから、前記クラウドに保管された複数の割符をダウンロードさせて、前記情報提供装置に当該割符を電子的に合成させることで前記電子情報ファイルを復元させること
を特徴とする情報提供装置及び情報受取装置の間に形成されるセキュアなファイルの送受信便システムによるセキュアなファイルの送受信方法。
【請求項６】
セキュアなファイルの送受信便管理装置からネットワークシステム内の送信側の情報提供装置に送信側セキュアなファイルの送受信便システムが、そして受信側の情報受取装置に受信側セキュアなファイルの送受信便システムが提供されて形成される情報提供装置及び情報受取装置の間に形成されるセキュアなファイルの送受信便システムによるセキュアなファイルの送受信方法であって、
前記送信側セキュアなファイルの送受信便システムが、電子情報ファイルを割符分割して形成され、任意のクラウドに秘密分散された断片が送信のためにショートカットされることで生成されたショートカット情報を取得して、所有することで提供可能なショートカットファイルに前記ショートカット情報、及び前記情報提供装置を現して、受信側に既知の送信側属性情報としての送信側電話番号と前記情報受取装置を現して、送信側に既知の受信側属性情報としての受信側電話番号とを送信側情報として記録可能として、記録された送信側電話番号及び受信側電話番号から添付ショートカットファイルを形成し、当該添付ショートカットファイルをメール画像に添付して、メールで送付可能なセキュアなファイルの送受信便を形成し、
前記受信側セキュアなファイルの送受信便システムが、送信されてきたセキュアなファイルの送受信便を受信し、前記添付ショートカットファイルに、記録された送信側電話番号及び受信側電話番号に対応して、前記受信側に既知の送信側属性情報としての送信側電話番号及び受信側電話番号が受信側情報として受信者によって記録されると、双方の情報が同一であるかを認証し、同一との認証が得られたときに、前記添付ショートカットファイルに添付された前記ショートカット情報に基づいて前記クラウドから、前記クラウドに保管された複数の割符をダウンロードさせて、前記情報提供装置に当該割符を電子的に合成させることで前記電子情報ファイルを復元させること
を特徴とする情報提供装置及び情報受取装置の間に形成されるセキュアなファイルの送受信便システムによるセキュアなファイルの送受信方法。
【請求項７】
請求項２に記載されたセキュアなファイルの送受信便システムを備えた前記情報提供装置及び前記情報受取装置をネットで結ぶネットワークシステムにおいて、
前記情報提供装置が、
所定情報を認識することが可能な電子情報について、単独では前記所定情報の認識が不可であり、複数を電子的に合成することによって前記所定情報を認識可能とする複数の割符を作成する割符作成手段、
作成された複数の割符を、通信手段を介して予め特定された記憶機関としてのクラウドにそれぞれ分割して保管させる保管管理手段、
ショートカット情報を生成するショートカット情報生成手段、
セキュアなファイルの送受信便システムの有する添付ショートカットファイル生成手段に、ショートカット情報を提供するショートカット情報提供手段、
を備え、
前記情報受取装置が、
セキュアなファイルの送受信便システムで生成された認証に基づいて、前記クラウドに保管された複数の割符をダウンロードして、電子的に合成することによって元の電子情報ファイルに復元する復元手段、
を備えること
を特徴とするセキュアなファイルの送受信便システムを備えたネットワークシステム。
【請求項８】
ネットワークシステム内で情報提供装置及び情報受取装置として用いられる双方の機能を持つ装置であって、
送信側の情報提供装置として機能するときに、
所定情報を認識することが可能な電子情報について、単独では前記所定情報の認識が不可であり、複数を電子的に合成することによって前記所定情報を認識可能とする複数の割符を作成する割符作成手段、
作成された複数の割符を、通信手段を介して予め特定された記憶機関としてのクラウドにそれぞれ分割して保管させる保管管理手段、
ショートカット情報を生成するショートカット情報生成手段、
セキュアなファイルの送受信便システムの有する添付ショートカットファイル生成手段に、ショートカット情報を提供するショートカット情報提供手段、
を備え、
情報受取側の情報受取装置として機能するときに、
セキュアなファイルの送受信便システムで生成された認証に基づいて、前記クラウドに保管された複数の割符をダウンロードして、電子的に合成することによって元の電子情報ファイルに復元する復元手段、
を備え、
前記送信側セキュアなファイルの送受信便システムが、電子情報ファイルを割符分割して形成され、任意のクラウドに秘密分散された断片が送信のためにショートカットされることで生成されたショートカット情報を取得して、所有することで提供可能なショートカットファイルに前記ショートカット情報、及び前記情報提供装置を現して、受信側に既知の送信側属性情報としての送信側電話番号と前記情報受取装置を現して、送信側に既知の受信側属性情報としての受信側電話番号とを送信側情報として記録可能として、記録可能な電話番号の内、記録された送信側情報としての電話番号から添付ショートカットファイルを形成し、当該添付ショートカットファイルをメール画像に添付して、メールで送付可能なセキュアなファイルの送受信便を形成し、  
前記受信側セキュアなファイルの送受信便システムが、送信されてきたセキュアなファイルの送受信便を受信し、前記添付ショートカットファイルに、記録された送信側情報としての電話番号に対応して、前記受信側に既知の送信側属性情報としての送信側電話番号又は/及び前記送信側に既知の受信側属性情報としての受信側電話番号が受信側情報として受信者によって記録されると、双方の情報が同一であるかを認証し、同一との認証が得られたときに、前記添付ショートカットファイルに添付された前記ショートカット情報に基づいて前記クラウドから、前記クラウドに保管された複数の割符をダウンロードさせて、前記情報提供装置に当該割符を電子的に合成させることで前記電子情報ファイルを復元させること
を特徴とするネットワークシステムに用いられる情報提供装置及び情報受取装置として用いられる装置。
【発明の詳細な説明】
【技術分野】
【０００１】
本発明は、セキュアなファイルの送受信便システム、セキュアなファイルの送受信方法及びネットワークシステムに関する。
【背景技術】
【０００２】
企業間あるいは個人において、メールに添付ファイルを送信相手にセキュアな状態で送信する方法としては、国内では、添付ファイルを暗号化、圧縮ファイルにして送信し、その直後に暗号化、圧縮ファイルについてのキーの送信を行っているのが一般的である。
【０００３】
また、添付ファイルを割符にして保管し、送信側は、複数の割符をそれぞれ別の手段又は異なった時間で情報被提供側に付与し、付与された複数の割符に合成して元の添付ファイルに復元することがなされている。
【０００４】
特許文献１には、リンク情報に含まれる所定のデータの格納先を特定するための情報と、アクセス情報に含まれる接続設定情報のうち、所定のデータの格納先を特定するための情報とが一致する場合に、リンク情報及びアクセス情報を含むショートカット（ＳＣ）を作成するデータ管理装置が記載される。
【０００５】
特許文献２には、第１の電子機器に第２の電子機器に関する第１の属性情報を登録すること、第２の電子機器に第１の電子機器に関する第１の属性情報を登録すること、第１の電子機器のストレージ装置内にあるファイルにリンクするショートカットを作成すること、第１及び第２の属性情報に基づいて第１の電子機器におけるストレージ装置内にあるファイルにアクセスすることが記載される。
【０００６】
特許文献３には、受信側情報処理機器では、送信フォルダの名称と受信側情報処理機器内の受信フォルダの名称が一致するときに、受信フォルダの下で加工されたファイルが復元されることが記載される。
【０００７】
特許文献４には、情報被提供側に提供される所定情報を割符にして保管し、送信側は、複数の割符をそれぞれ別の手段又は異なった時間で情報被提供側に付与し、付与された複数の割符を物理的に又は電子的に合成して所定情報を認識可能とすること、所定情報には、インターネットのアドレス、電話番号、パスワード、電子メイルアドレスの内のいずれかが含まれることが記載される。
【先行技術文献】
【特許文献】
【０００８】
【特許文献１】特許第４７３１９２８号公報
【特許文献２】特開２００７−２７２４６０号公報
【特許文献３】特開２０１６−１０６３３０号公報
【特許文献４】特開２００１−３３１７３１号公報
【発明の概要】
【発明が解決しようとする課題】
【０００９】
上述したように、企業間あるいは個人において、メールに添付ファイルを送信相手にセキュアな状態で送信する方法としては、国内では、暗号化あるいは割符化した添付ファイルを送信し、その直後に当該ファイルについてのキーの送信することがなされてきた。
【００１０】
この方法で情報漏洩を防げるのは、インターネット上での情報漏洩のみであって、End to Endでのセキュアな情報伝達とはなっていない。例えば、被送信側の情報提供装置のアドレスを間違えて誤送信したような場合、情報漏洩となってしまう。このように、同一メール先に時間差でキー配信を行う情報漏洩対策には問題があり、キー配信には十分な配慮がなされるべきで、誤送信があったような場合にも安全性の担保が求められる。
【００１１】
本発明は、かかる点に鑑み時間差をおいての二回送付のメールを必要とせず、キー配信に十分な配慮がなされ、誤送信があったような場合にもEnd to End で安全性が担保され、受信者に使い勝手のよいセキュア情報伝達を実現することを課題とする。
【課題を解決するための手段】
【００１２】
図１は、暗号化あるいは割符化した添付ファイルを送信し、その直後に当該ファイルについてのキーの送信することからなる日常にある危険なメールを説明する図である。
【００１３】
時間差をおいてのメール二回送受信方法では、
・誤送信による情報漏洩
・ハッカーによる情報搾取情報漏洩
・ファイル宅配便であっても情報漏洩
の恐れがあり、End to End で安全性が担保されていない。
【００１４】
本発明は、セキュアなファイルの送受信便の形成で、End to End で安全性が担保されるシステムを提案する。送信側セキュアなファイルの送受信便システム１００Ａを情報提供装置１Ａ及び受信側セキュアなファイルの送受信便システム１００Ｂを情報受取装置１Ｂに組み込むことで、メールに添付ショートカットファイルが添付されたセキュアなファイルの送受信便１４による情報授受システム、すなわちセキュアなファイルの送受信便１４になるセキュアなファイルの送受信便システム１００を送信側の情報提供装置及び受信側の情報受取装置の間に形成する。
【００１５】
セキュアなファイルの送受信便システム１００で、大容量の情報であってもEnd to End で安全性が担保された受け渡しを可能とする。
【００１６】
図２は、本発明になるセキュアなファイルの送受信便システム１００及びセキュアなファイルの送受信便システム１００を持つネットワークシステム２００を示す図である。
【００１７】
図２において、ネットワークシステム２００が多数の装置１及びセキュアなファイルの送受信便管理者の管理になるセキュアなファイルの送受信便管理装置２を通信可能に結んで形成される。装置１は、情報提供装置及び情報受取装置として用いられる装置であり、当該装置が情報提供装置と機能する場合、情報提供装置１Ａと記載し、情報受取装置として機能する場合、情報受取装置１Ｂと記載する。情報提供装置１Ａ及び情報受取装置１Ｂは、それぞれ通信手段を備えて通信可能である。
【００１８】
多数ある装置１から複数の装置が選択されて、セキュアなファイルの送受信便管理者から送信側セキュアなファイルの送受信便システム１００Ａ及び受信側セキュアなファイルの送受信便システム１００Ｂが提供され（（イ）（ロ）で示される）、情報提供装置１Ａの内部と情報受取装置１Ｂの内部に、情報提供装置１Ａと情報受取装置１Ｂとの双方を結んで通信可能なセキュアなファイルの送受信便システム１００が構築される。セキュアなファイルの送受信便システム１００がネットワークシステム２００に構成される。
【００１９】
情報提供装置１Ａと情報受取装置１Ｂがセキュアなファイルの送受信便システム１００によってネットワークシステム２００を介して通信可能とされる。
【００２０】
送信側セキュアなファイルの送受信便システム１００Ａ及び受信側セキュアなファイルの送受信便システム１００Ｂを結んで形成されるがセキュアなファイルの送受信便システム１００は、
・相手側確認仕組みの採用
・相手方に互いに既知の既知相手方情報の照合による認証
・割符による添付ファイルの秘密分散と認証に基づいた復元
を行うという特徴を持つ。
【００２１】
相手方に既知の既知相手方情報として、相手方に既知の電話番号、住所又は居所、インターネットのアドレス、パスワード、電子メイルアドレスの内のいずれか又はこれらの組み合わせの情報がある。
【００２２】
セキュアなファイルの送受信便管理装置２は、
・セキュアなファイルの送受信便システムの情報提供装置１Ａと情報受取装置１Ｂへの提供  
・ショートカットファイルの情報提供装置１Ａへの提供
・セキュアなファイルの送受信便の送信回数あるいは当該セキュアなファイルの送受信便に使用された受取側電話番号の送信回数の統計と経理処理
・無償の及び有償のセキュアなファイルの送受信便を選択させて、無償あるいは有償に対応したセキュアなファイルの送受信便の簡便設定
を行う特徴を持つ。
【００２３】
図３は、製品としての送信側セキュアなファイルの送受信便システム１００Ａ及び受信側セキュアなファイルの送受信便システム１００Ｂを情報提供装置１Ａと情報受取装置１Ｂとに提供されて、情報提供装置１Ａと情報受取装置１Ｂを結んだにセキュアなファイルの送受信便１４が構築されることを示す図である。
【００２４】
送信側セキュアなファイルの送受信便システム１００Ａ及び受信側セキュアなファイルの送受信便システム１００Ｂがセキュアなファイルの送受信便管理装置２からインターネット２００Ａを介して情報提供装置１Ａと情報受取装置１Ｂにダウンロード提供され、それぞれの内部に組み込まれる。この例の場合、プログラムで形成されたソフトウエアがインターネット通信手段２００Ａを介して、情報提供装置１Ａと情報受取装置１Ｂにダウンロード提供される。当該ソフトウエアを内蔵するハード媒体で情報提供装置１Ａと情報受取装置１Ｂに提供され、組み込まれるようにしてもよい。
【００２５】
送信側セキュアなファイルの送受信便システム１００Ａ及び受信側セキュアなファイルの送受信便システム１００Ｂの提供には、無償版と有償版がある。無償での提供を希望する場合には、所定の方式に従って無償版３を選択、指定し、有償での提供を希望する場合には、有償版４を選択、指定する。
【００２６】
セキュアなファイルの送受信便システム１００は、既存の設備機器から最新の設備機器へ更新することにより達成されるセキュアなファイルの送受信便１４を提案する提案書を作成するものである。セキュアなファイルの送受信便システム１００は、一つの態様では、ハード資源とソフトウエアとの協働により実現される。具体的には、セキュアなファイルの送受信便システム１００の機能は、記録媒体に記録された制御プログラムがメインメモリに読み出されてＣＰＵ（Central Processing Unit）により実行されることによって実現される。制御プログラムは、コンピュータ読み取り可能な記録媒体に記録されて提供されることも可能だし、データ信号として通信により提供されることも可能である。
【００２７】
セキュアなファイルの送受信便システム１００は、ハードウエアのみにより実現されてもよい。また、セキュアなファイルの送受信便システム１００は、物理的に１つの装置により実現されてもよいし、複数の装置により実現されてもよい。
【００２８】
図４は、セキュアなファイルの送受信便システム１００の概要を示す図である。
【００２９】
送信側セキュアなファイルの送受信便システム１００Ａ及び受信側セキュアなファイルの送受信便システム１００Ｂがセキュアなファイルの送受信便管理装置２から情報提供装置１Ａと情報受取装置１Ｂにそれぞれ提供される。情報提供装置１Ａが情報受取装置１Ｂとしても機能し、情報受取装置１Ｂが情報提供装置１Ａとしても機能する場合、情報提供装置１Ａあるいは情報受取装置１Ｂには、双方のセキュアなファイルの送受信便システムが提供される。
【００３０】
送信側セキュアなファイルの送受信便システム１００Ａから情報提供装置１Ａに、送信側セキュアなファイルの送受信便システム１００Ａが予め装着し所有するショートカットファイルを提供することができる。
【００３１】
送信側セキュアなファイルの送受信便システムが、電子情報ファイルを割符分割して割符の断片が形成される。断片とは、割符形態の意味のないデータの集合体のことである。
【００３２】
任意のクラウドに秘密分散された断片が送信のためにショートカットされることで生成されたショートカット情報を取得する。そして、所有することで提供可能なショートカットファイルに前記ショートカット情報、及び前記情報提供装置を現して、受信側に既知の送信側属性情報と前記情報受取装置を現して、送信側に既知の受信側属性情報とを送信側情報として記録可能とする。記録可能な送信者情報の内、記録された送信側情報から添付ショートカットファイルを形成し、当該添付ショートカットファイルをメール画像に添付して、メールで送付可能なセキュアなファイルの送受信便を形成する。
【００３３】
図では、クラウドセンター内の記憶機構としてのクラウド１１に断片１/３、クラウド１２に断片２/３、クラウド１３に断片３/３が格納された。クラウドを備えたクラウドセンターは、その都度ランダムに選択６される。
【００３４】
情報提供装置１Ａにダウンロードされ、組み込まれた送信側セキュアなファイルの送受信便システム１００Ａは、秘密分散処理９の指示がなされると、ショートカット情報を取得し、送信者情報、すなわち相手方に互いに既知の既知相手方情報（相手方認証情報という）になる含む認証情報を所定に従って記録し、添付ショートカットファイル１５を形成する。
【００３５】
このように、送信者によって送信側の情報提供装置の送信側属性情報として受信側に既知の既知相手方情報及び前記情報受取装置の受信側属性情報として送信側に既知の既知相手方情報が入力されて秘密保持され、及び前記ショートカット情報が入力されてメール画像に添付される添付ショートカットファイルが形成され、メール画像に添付ショートカットファイルが添付されたセキュアなファイルの送受信便が情報受取装置に送信される。
【００３６】
ショートカットファイルに、ショートカット情報、及び相手方認証情報が入力されて、メール画像に添付される添付ショートカットファイル１５が形成される。
【００３７】
添付ショートカットファイル１５は、セキュアなファイルの送受信便１４に添付されて、相手方、すなわち情報受取装置１Ｂにメールで送信送付される。セキュアなファイルの送受信便１４によって、メール画像が取得される。
【００３８】
前記セキュアなファイルの送受信便を添付したメールが前記情報受取装置に送信される。
受信側セキュアなファイルの送受信便システムが、送信されてきたセキュアなファイルの送受信便を受信し、前記添付ショートカットファイルに、記録された送信側情報に対応して、前記受信側に既知の送信側属性情報又は/及び前記送信側に既知の受信側属性情報が受信側情報として受信者によって記録されると、双方の情報が同一であるかを認証する。
【００３９】
前記情報受取装置に、前記セキュアなファイルの送受信便が受信され、前記添付ショートカットファイルに、前記受信側に既知の送信側属性情報又は/及び送信側に既知の受信側属性情報が受信者によって記録されて、同一であるかが認証され、同一との認証が得られたときに、前記添付ショートカットファイルに添付された前記ショートカット情報に基づいて前記クラウドにアクセスがなされ、前記クラウドに保管された複数の割符がダウンロードされて、当該割符が電子的に合成されることによって前記電子情報ファイルが復元される。
【００４０】
このようにして、ネットワークシステムを用いたセキュアなファイルの送受信便システムが構成される。
【００４１】
メール画面一回の取得で認証が可能とされ、二回メールを必要とせず、キー配信に十分な配慮がなされ、誤送信があったような場合にもEnd to End で安全性が担保される。
【００４２】
各断片は、情報提供装置１Ａで送付者によって指定された時限期限で消滅する。
【００４３】
End to Endでセキュアな情報が情報提供装置１Ａ及び情報受取装置１Ｂで共有される。
【発明の効果】
【００４４】
セキュアなファイルの送受信便システムが提供され、セキュアなファイルの送受信便が形成可能とされ、受信側に既知の送信側属性情報又は/及び送信側に既知の受信側属性情報が受信者によって記録されて、同一であるかの認証が可能になって、
・誤送信による情報漏洩
・ハッカーによる情報搾取情報漏洩
・ファイル宅配便であっても情報漏洩
防止される。
【００４５】
これによって、時間差をおいての二回メールを必要とせず、キー配信に十分な配慮がなされ、誤送信があったような場合にもEnd to End で安全性が担保され、受信者に使い勝手のよいセキュア情報伝達を実現される。
【図面の簡単な説明】
【００４６】
【図１】日常にある危険なメールを説明する図
【図２】本発明になるセキュアなファイルの送受信便システム及びセキュアなファイルの送受信便システムを持つネットワークシステムを示す図
【図３】セキュアなファイルの送受信便システム１００を情報提供装置１Ａと情報受取装置１Ｂに提供する図
【図４】セキュアなファイルの送受信便１００の概要を示す図
【図５】セキュアなファイルの送受信便システムの構成をブロックで示す図
【図６】クラウドセンターの選択とバナー広告の取り込みの仕組みを示す図
【図７】有償でセキュアなファイルの送受信便の提供を依頼する場合におけるセキュアなファイルの送受信便を示す図
【図８】無償でセキュアなファイルの送受信便の提供を依頼する場合におけるセキュアなファイルの送受信便を示す図
【図９】電子情報ファイルの秘密分散・復元処理の流れを示す図
【図１０】情報提供装置１Ａの画面表示装置の画面に表示される図（その１）
【図１１】情報提供装置１Ａの画面表示装置の画面に表示される図（その２）
【図１２】情報提供装置１Ａの画面表示装置の画面に表示される図（その３）
【図１３】情報提供装置１Ａの画面表示装置の画面に表示される図（その４）
【図１４】情報提供装置１Ａの画面表示装置の画面に表示される図（その５）
【図１５】情報提供装置１Ａの画面表示装置の画面に表示される図（その６）
【発明を実施するための形態】
【００４７】
実施例を説明する前に実施例で使用される用語について説明する。
＜情報提供装置＞  情報提供者、すなわち送信者によって送信側で送信のために使用される装置
＜情報受取装置＞  情報受取者、すなわち受信者によって受信側で受信のために使用される装置
＜割符の断片＞  割符分割された各片
＜セキュアなファイルの送受信便＞  時間差をおいての二回メールを必要とせず、End to Endで送信されるファイル便
＜セキュアなファイルの送受信便システム＞  送信側の情報提供装置１Ａに取込まれた送信側セキュアなファイルの送受信便システム及び受信側の情報受取装置１Ｂに取込まれた受信側セキュアなファイルの送受信便システムを結んで形成されるセキュアなファイルの送受信便の授受のためのシステム。送信側セキュアなファイルの送受信便システム及び受信側セキュアなファイルの送受信便システムは、プログラムで形成されたソフトウエアの通信手段によって相手側に提供される。プログラムで形成されたソフトウエアを固形形態の媒体に保存して、相手に提供することも可能
＜セキュアなファイルの送受信便管理装置＞  セキュアなファイルの送受信便システムの形成のために、有償あるいは無償で送信側セキュアなファイルの送受信便システム及び受信側セキュアなファイルの送受信便システムを提供し、管理する管理者
＜ショートカット＞  割符の断片にリンクするリンク属性情報で、割符の断片にアクセスするためのアイコンの作成
＜ショートカット情報＞  割符の断片にリンクするリンク属性情報
＜ショートカットファイル＞  受信者の電話番号が記録される欄、受信者の住所指定欄、復元期間の指定変更欄、復元期日指定日時欄を持つファイル
＜添付ショートカットファイル＞  ショートカットファイルに、既知の受信者の電話番号、あるいは既知の受信者の電話番号、指定された受信者の住所、指定された復元期間、指定された復元期日指定日時が記録され、セキュアなファイルの送受信便に添付されるファイル
＜送信側属性情報＞  送信側の情報提供装置を現すに使用される情報提供者固有の情報
＜受信側軸性情報＞  受信側の情報提供装置を現すに使用される情報受取者固有の情報
＜既知の送信側属性情報＞  受信側に既知の送信側属性情報。互いに確認済みで既知の場合ばかりでなく、名刺交換、メールの交換によって直接間接に知り得た相手側の固有の情報
＜既知の受信側属性情報＞  送信側に既知の受信側属性情報
＜相手方に互いに既知の既知相手方認証情報＞  既知の送信側属性情報及び既知の受信側属性情報
＜認証処理＞  二つの情報を比較して、同一である時に「同一あるいは一致」、同一でないときに「非同一あるいは不一致」なる証明を行う処理
<バナー広告>  セキュアなファイルの送受信便を無償で利用することができるようにするために、添付ショートカットファイルを添付するメール画面の提示される広告。
【００４８】
図５は、セキュアなファイルの送受信便システムの構成をブロックで示す図である。
【００４９】
セキュアなファイルの送受信便システム１００が、送信側の情報提供装置１Ａ及び情報受取側の情報受取装置１Ｂを含んで構成される。
【００５０】
当該情報提供装置１Ａが、次に各手段を備える。
【００５１】
割符作成手段２１
・所定情報を認識することが可能な電子情報ファイルについて、単独では前記所定情報の認識が不可であり、複数を電子的に合成することによって電子情報ファイルに認識可能とする複数の割符を作成する。
【００５２】
保管管理手段２２
・作成された複数の割符を、通信手段を介して予め特定された記憶機関としてのクラウドにそれぞれ分割して保管させる。
【００５３】
ショートカット情報生成手段２３
・割符の断面、断面情報に基づくショートカット情報の生成を行う。
【００５４】
セキュアなファイルの送受信便の作成手段２４
・ショートカット情報、及びお互いに既知の送信側電話番号及び受取側電話番号をショートカットファイルに記録して添付ショートカットファイルを生成する。
【００５５】
・添付ショートカットファイルを添付するセキュアなファイルの送受信便を形成する。
【００５６】
送信手段２５
・セキュアなファイルの送受信便を情報受取装置に送信する。
【００５７】
情報受取側の情報受取装置１Ｂが、
受信手段２６
・送信されてきたセキュアなファイルの送受信便を受信する。
【００５８】
認証処理手段２７
・受信した電話番号と記録した電話番号の照合によって認証処理を行う。
【００５９】
・認証がなされると、ダウンロード許可情報を生成する。
【００６０】
復元手段２８
・ダウンロード許可情報を受け、割符の断片をダウンロードして、元の電子情報ファイルに復元する。前記取得した複数の割符を電子的に合成することによって元の電子情報ファイルに復元する。
【００６１】
図６は、クラウドセンターの選択とバナー広告の取り込みの仕組みを示す図である。
【００６２】
クラウドセンターの選択とバナー広告の取り込みのための最適化の仕組みは、
・クラウドセンターを数式（ランダム）に基づき選択する。
【００６３】
・回線状況、クラウドセンター状況を判断してクラウドセンターを選択する。
【００６４】
・選択されたクラウドセンターから、予めセットアップしてあるバナー広告を読込
取得する。
【００６５】
で構成される。
【００６６】
クラウドセンターの選択とバナー広告の取り込みは次のステップでなされる。    
１）送信者は、添付ショートカットファイル１５をセキュアなファイルの送受信便１４でエク
スポートすると、予め複数指定されたクラウドセンター１〜ｎから数式（ランダム）に基づき予め定めた数に選択されたいくつか最適のクラウドセンターにアクセスされる。
【００６７】
２）送信側セキュアなファイルの送受信便システム１００Ａ及び受信側セキュアなファイルの送受信便システム１００Ｂの取込みに無償版が選択された場合、選択された最適のクラウドセンターから、バナー広告の取込みがなされる。
【００６８】
３）最適なクラウドセンターが複数、例えば本例の場合、三つのクラウドセンターが
三つ選択され、機密分散処理のなされた割符の断片が送付先であるクラウドセンターに設置されたクラウドが決定され、アップロード７され、各クラウドに割符の断片１１〜１３がそれぞれ保有される。
【００６９】
図７及び図８は、セキュアなファイルの送受信便を示す図である。
【００７０】
セキュアなファイルの送受信便１４は、ショートカットファイル１５Ａに所定事項が記録された添付ショートカットファイル１５を有して形成され、添付ショートカットファイル１５に記載事項について、ＯＫあるいはキャンセル確認操作が可能とされる。
【００７１】
セキュアなファイルの送受信便管理装置２に製品であるセキュアなファイルの送受信便１４は、セキュアなファイルの送受信便システム１００の設置提供を無償で、あるいは有償でなされるように依頼することができ、設置提供の依頼形態に対応して図７及び図８に示されるセキュアなファイルの送受信便１４が形成される。セキュアなファイルの送受信便管理装置２は、セキュアなファイルの送受信便システム１００の設置提供を全て無償、あるいは全て有償によるシステム構成とすることができる。
【００７２】
図７は、有償提供版でセキュアなファイルの送受信便システム１００の設置提供を依頼した場合に、送信側セキュアなファイルの送受信便システム１００Ａによって構成されるセキュアなファイルの送受信便１４を示す図である。
【００７３】
図７において、セキュアなファイルの送受信便１４には、添付ショートカットファイル１５が添付される。添付ショートカットファイル１５は、上述したように送信側セキュアなファイルの送受信便システム１００Ａから提供されたショートカットファイル１５Ａにショートカット情報及び相互に既知の既知電話番号が所定に従って記録されて構成される。
【００７４】
ショートカットファイル１５Ａは、送信者の電話番号が記録される欄３１及び受信者の電話番号が記録される欄３２を持つ。
【００７５】
この場合、送付先は、例えば最大五箇所へ送付可能とされる。このため、電話番号が記録される欄３２は、五箇所の記録欄を持ち、電話番号１〜５が記録可能とされる。電話番号１〜５が記録可能とされることで、同時に複数の、本例の場合、５つの受信者にメールを送信することができる。一人に受信者に複数の電話番号が設定されてもよい。
【００７６】
ショートカットファイル１５Ａは、受信者の住所指定欄３３を有しており、相互に既知の既知電話番号に加えて、受信者の住所指定を行うことができる。これによって、電話番号１〜５に加えて送付先位置情報の指定が可能とされる。
【００７７】
ショートカットファイル１５Ａには、予め定められた復元期間、例えばデフォルトの場合は４８ｈが設定されている。ショートカットファイル１５Ａは、復元期間の指定変更欄３４を有しており、復元期間の指定変更を指定することで、復元期間の指定変更を行うことができる。
【００７８】
ショートカットファイル１５Ａは、復元期日指定日時欄３５を有しており、復元期日指定日時欄３５に、復元期日指定日時を記録することで、復元期日指定日時を指定することができる。
【００７９】
送信者の電話番号が記録される欄３１、受信者の電話番号が記録される欄３２、受信者の住所指定欄３３、復元期間の指定変更欄３４、復元期日指定日時欄３５に記録された事項は、すべて受信側に秘密保持される。
【００８０】
ショートカットファイル１５Ａは、普通送信指定欄３６及び親展送信指定欄３７を有しており、いずれかを指定することで、普通送信あるいは親展送信することができる。
【００８１】
図７に示されるセキュアなファイルの送受信便１４には、バナー広告は掲示されない。
【００８２】
添付ショートカットファイル１５の最大添付データ容量ＸＸが予め定められる。
【００８３】
図８は、無償提供版でセキュアなファイルの送受信便システム１００の提供を依頼したる場合に、送信側セキュアなファイルの送受信便システム１００Ａによって構成されるセキュアなファイルの送受信便１４を示す図である。この場合、
・送付先は、一箇所に限定され、図７で設けられた電話番号が記録される欄３２は薄く表示され、電話番号を記録することができない。図８で、電話番号が記録される欄３２が濃く記録されているが、これは便宜のものである。図１１，１２についても同様である。
【００８４】
受信者の住所指定欄３３、復元期間の指定変更欄３４、復元期日指定日時欄３５についても同様である。
【００８５】
・送付先位置情報追加は不可
・復元期限の変更は不可
・期日指定の登録は不可
・最大添付データ容量は、図７の場合と同じ。
【００８６】
図７に示されるセキュアなファイルの送受信便１４に、バナー広告３８が掲示され、セキュアなファイルの送受信便１４の形成に要するよう費用が負担される。
【００８７】
図９は、電子情報ファイルの秘密分散・復元処理の流れを示す図である。
１）送信者が、情報提供装置１Ａから電子情報ファイルについて、割符秘密分散保管指示をしてエクスポートする。
２）送信者受信者は、普通送信又は親展送信でメール４２を送信し、受信者は、送信されたメール４２を受信する。
３）受信者は、送信された添付ショートカットファイル１５のショートカット情報４１をダブルクリックし、電子情報ファイルを復元する。
【００８８】
図１０〜図１３は、図９に示される、電子情報ファイルの秘密分散・復元処理の流れの中で用いられる画面を示す図である。
【００８９】
第１のステップ：図９において、送信者が、情報提供装置１Ａから電子情報ファイルについて、割符秘密分散保管指示をしてエクスポートする。エクスポートすると、電子情報ファイルは自動的にクラウド１１〜１３に割符形態で秘密分散保管される。クラウド１１〜１３は、クラウドの集団１〜ｎからランダムに選択されたクラウドである。
【００９０】
同時に秘密分散保管され割符の断片１/３〜３/３について通常の方法によってショートカットがなされ、ショートカット情報が生成される。ショートカット情報がショートカットファイル１３に所定に従って記録されることで、添付ショートカットファイル１５が生成され、セキュアなファイルの送受信便１４が生成される。
【００９１】
この場合に、図２に示される互いに既知の既知相手方認証情報としての電話番号４０Ａが採用され、ショートカットファイル１３に所定に従って記録される。この記録がなされることで、添付ショートカットファイル１５が生成される。所定に従って記録されるとは、電話番号が記録される欄３２、受信者の住所指定欄３３、復元期間の指定変更欄３４、復元期日指定日時欄３５に記録されることで、図８に示される場合には、記録事項に制限がある。
【００９２】
図９に示される工程で、図１０が情報提供装置１Ａの画面表示装置の画面に表示される。
【００９３】
図１０は、情報提供装置１Ａの画面表示装置の画面に表示される図（その１）である。
【００９４】
画面上には、
・割符の設定情報
・割符インポート
・割符エクスポート
・割符プロパテイ
が表示され、各項目に従った指令信号が入力可能とされる。
【００９５】
画面表示装置の画面が送信側と使用されるため、割符の設定情報のクリック指定で、送付したい電子情報ファイルを選択し、割符エクスポートを指定する。
【００９６】
図１１に示す画面が表示される。
【００９７】
図１１は、情報提供装置１Ａの画面表示装置の画面に表示される図（その２）である。
【００９８】
図１１は、図８の場合を示す。図３において、送信側セキュアなファイルの送受信便システム１００Ａの提供を受けるときに、無償版３を選択したことによって図１１が自動表示される。有償版４を選択した場合には、図７に示される画面が自動表示される。ここでは、無償版３が選択されたケースについて説明するが、有償版４が選択されたケースについても同様となる。
【００９９】
図１１において、送信者の電話番号が記録される欄３１に送信者の電話番号が記録される。有償版の場合には、受信者の住所指定欄３２、受信者の住所指定欄３３、復元期間の指定変更欄３４、復元期日指定日時欄３５の指定が可能であるが、本例の場合、無償版であるので、これらの欄には記録することはできない。バナー広告３８がなされる。
【０１００】
ＯＫボタンで対象の電子情報ファイルが割符分割して秘密分散され、この操作で、上述したようにショートカット情報が取得される。
【０１０１】
次に、図１２が表示される。
【０１０２】
図１２は、情報提供装置１Ａの画面表示装置の画面に表示される図（その３）である。
【０１０３】
この画面では、ショートカット情報４１が添付される。ショートカット情報４１が添付されることで添付ショートカットファイル１５が完成、セキュアなファイルの送受信便１４が最終的に完成される。
【０１０４】
セキュアなファイルの送受信便１４は、メールに添付され、送信の準備がなされる。
【０１０５】
図１３は、情報提供装置１Ａの画面表示装置の画面に表示される図（その４）である。
【０１０６】
図１３において、情報提供装置１Ａの画面表示装置にセキュアなファイルの送受信便１４が添付され、メールするにあたっての所定事項が記載されたメール画面４２が示される。
【０１０７】
第２ステップ：図９に戻って、送信者は、添付ショートカットファイル１５が添付されたセキュアなファイルの送受信便１４の添付されたメール画面４２を持つメールを送信する。
【０１０８】
受信者は、送信されたメール４２を受信する。図１４に示される画面が自動表示される。
【０１０９】
図１４は、情報提供装置１Ａの画面表示装置の画面に表示される図（その５）である
受取ったセキュアなファイルの送受信便１４を開くと、添付ショートカットファイル１５のショートカット情報４１をダブルクリックすることができる。
【０１１０】
ダブルクリックがなされると、図１５に示される画面へと自動的に移動する。
【０１１１】
図１５は、情報提供装置１Ａの画面表示装置の画面に表示される図（その６）である。
【０１１２】
第３ステップ：図９に戻って、受信者は、添付ショートカットファイル１５のショートカット情報４１をダブルクリックする。ダブルクリック指示で、情報受取装置内に構成された構成された受信側セキュアなファイルの送受信便システム１００Ｂが、相手方に既知の既知相手方認証情報としての電話番号４０Ｂを用いて認証し、情報受取装置１Ｂにクラウドから割符の断片になる秘密分散情報を収集させ、情報受取装置１Ｂにダウンロードさせる。
【０１１３】
図１５において、画面上に送信者の電話番号が記録される欄３１及び「送信者電話番号を入れて下さい！」と表示され、送信者電話番号を記録することが促される。
【０１１４】
受信者は、送信者の電話番号が記録される欄３１に送信者が既に認識済みの送信者の電話番号を直ちに記録することができる。添付ショートカットファイル１５には、メール送受信されたすべての情報が記録される。
【０１１５】
情報提供装置に提供されたセキュアなファイルの送受信便システム１００によって、取得された当該ショートカットファイルに、前記情報提供装置を現す送信側属性情報としての送信側電話番号と共に、前記情報受取装置を現して、送信側に既知の受信側属性情報としての受信側電話番号が送信者によって記録可能とされるネットワークシステムを用いたセキュアなファイルの送受信便システムによるセキュアなファイルの送受信方法において、
当該ショートカットファイルに、前記送信側電話番号及び前記取得されたショートカット情報が送信者によって記録されると、添付ショートカットファイルを形成し、当該添付ショートカットファイルをメール画像に添付して、メールで送付可能なセキュアなファイルの送受信便を形成し、
前記セキュアなファイルの送受信便を前記情報受取装置に送信し、
前記情報受取装置に、前記セキュアなファイルの送受信便が受信され、前記添付ショートカットファイルに、前記送信側電話番号が受信者によって記録されると、同一であるかを認証することがなされる。
【０１１６】
これらの電話番号が同一との認証がなされると、画面上には、保存場所選択の指定欄４３による保存場所選択の指定及び「保存するフォルダを選択してください！」の案内表示がなされる。
【０１１７】
保存場所選択の指定欄４３がクリックされると、情報受取装置内に構成されたセキュアなファイルの送受信便システム１００は、自動的に割符の断面が格納されたクラウドにアクセスして割符の断面の送付を受け、データ送付を完了させる。
【０１１８】
情報受取装置１Ｂは、同一との認証が得られたときに、前記添付ショートカットファイルに添付された前記ショートカット情報に基づいて前記記憶機関クラウドの記憶手段にアクセスして、前記特定された記憶機関クラウドの記憶手段に保管された複数の割符をダウンロードし、複数の割符が電子的に合成されることによって電子情報ファイルを復元する。
【０１１９】
この例では、図８において、送信者の電話番号が記録される欄３１を設け、送信者の電話番号が記録され得るようにされたが、送信者の電話番号が記録に代え、送信者に既知の受信者の電話番号を記録される、受信者の電話番号が記録される欄３２には一つの受信者の電話番号が記録されるようにし、図１５における送信者の電話番号が記録される欄３１に代えて、一つの受信者の電話番号が記録されるようにして、受信者の電話番号が記録される欄３２を設けて、送信者及び受信者の既知の受信者の電話番号による認証照合を行うようにしてもよい。この場合には、図１５の画面上には、「受信者電話番号を入れてください！」との案内表示がなされることになる。
【０１２０】
この例では、無償提供版について説明したが、有償提供版の場合には、前記情報受取装置に、前記セキュアなファイルの送受信便が受信され、前記添付ショートカットファイルに、前記送信側電話番号及び前記受信側電話番号が受信者によって記録されると、同一であるかを認証し、同一との認証が得られたときに、前記添付ショートカットファイルに添付された前記ショートカット情報に基づいて前記クラウドにアクセスし、前記クラウドに保管された複数の割符をダウンロードして、当該割符を電子的に合成することによって電子情報ファイルを復元する。
【０１２１】
上述したシステムで、相手方に既知の既知相手方認証情報としての電話番号４０，４０Ａが採用されるメリットは、
・送信者が「暗号化ZIP」「パスワード」というように、二回のメールを送信する必要がない。
【０１２２】
・受信者がパスワードを覚えておく必要がない。
【０１２３】
・お互いに取り交わした名刺には、相手方の電話番号が記載されているので、事前に相手方のパスワードを取り決めておく必要がない。
ことにある。
【０１２４】
本実施例によれば、セキュアなファイルの送受信便システムが提供され、セキュアなファイルの送受信便が形成可能とされ、受信側に既知の送信側属性情報としての送信側電話番号又は/及び送信側に既知の受信側属性情報としての受信側電話番号が受信者によって記録されて、同一であるかの認証が可能になった。
【０１２５】
これによって、時間差をおいての二回メールを必要とせず、キー配信に十分な配慮がなされ、誤送信があったような場合にもEnd to End（送信側から受信側） で安全性が担保され、受信者に使い勝手のよいセキュア情報伝達を実現される。
【０１２６】
本実施例によれば、秘密分散情報が誤送信された場合にあっても、送信された相手方は認証操作を行うことができないから、電子情報ファイルが復号されることがない。
【０１２７】
本実施例によれば、復元期間の指定変更欄３４あるいは復元期日指定日時欄３５を設けることで、期日指定での添付ショートカットファイル１５を送付することができる。
【０１２８】
本実施例によれば、バナー広告を添付ショートカットファイル１５に表示することで、無償版になるセキュアなファイルの送受信便システム１００を情報提供装置１Ａ、情報受取装置１Ｂの内部に構成することができる。これによって、情報提供装置に提供されたセキュアなファイルの送受信便システムによって、取得された当該ショートカットファイルに、前記情報提供装置を現す送信側属性情報としての送信側電話番号と共に、前記情報受取装置を現して、送信側に既知の受信側属性情報としての受信側電話番号が送信者によって記録可能とした上で、使用に際して有償版と無償版とを切り分けることができる。
【符号の説明】
【０１２９】
１００…セキュアなファイルの送受信便システム、２００…ネットワークシステム、１…情報提供装置及び情報受取装置として用いられる装置、１Ａ…情報提供装置、１Ｂ…情報受取装置、２…セキュアなファイルの送受信便管理装置、９…秘密分散処理、１０…クラウドセンター、１１、１２、１３…クラウド、１４…セキュアなファイルの送受信便、１５Ａ…ショートカットファイル、１５…添付ショートカットファイル、１６…復元処理、２１…割符作成手段、２２…保管管理手段、２３…ショートカット情報生成手段、２４…セキュアなファイルの送受信便の作成手段、２５…送信手段、２６…受信手段、２７…認証処理手段、２８…復元手段、３１…送信者の電話番号が記録される欄、３２…受信者の電話番号が記録される欄、３３…受信者の住所指定欄、３４…復元期間の指定変更欄、３５…復元期日指定日時欄、４０Ａ、４０Ｂ…相手方に既知の既知相手方認証情報としての電話番号、４１…ショートカット情報、４２…メール画面、４３…保存場所選択の指定欄。
【図１】
2020160637.tif 000003
【図２】
2020160637.tif 000004
【図３】
2020160637.tif 000005
【図４】
2020160637.tif 000006
【図５】
2020160637.tif 000007
【図６】
2020160637.tif 000008
【図７】
2020160637.tif 000009
【図８】
2020160637.tif 000010
【図９】
2020160637.tif 000011
【図１０】
2020160637.tif 000012
【図１１】
2020160637.tif 000013
【図１２】
2020160637.tif 000014
【図１３】
2020160637.tif 000015
【図１４】
2020160637.tif 000016
【図１５】
2020160637.tif 000017
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
セキュアなファイルの送受信便管理装置からネットワークシステム内の送信側の情報提供装置に送信側セキュアなファイルの送受信便システムが、そして受信側の情報受取装置に受信側セキュアなファイルの送受信便システムが提供されて形成されるセキュアなファイルの送受信のためのメールによる送受信便システムであって、
前記送信側セキュアなファイルの送受信便システムが、電子情報ファイルを割符分割して、秘密分散される断片を生成し、当該断片を任意のクラウドへ送信のためにショートカットし、ショートカットすることで生成したショートカット情報を取得し、前記情報提供装置を現すものとして受信側に既知の送信側属性情報と前記情報受取装置を現すものとして送信側に既知の受信側属性情報とからなる送信側情報を取得し、前記ショートカット情報と前記送信側情報とを記録する添付ショートカットファイルを形成し、当該添付ショートカットファイルを添付して、メールで送付可能なセキュアなファイルの送受信便を形成するソフトウエアを有して、前記情報提供装置内に形成され、  
前記受信側セキュアなファイルの送受信便システムが、前記受信側に既知の送信側属性情報又は/及び前記送信側に既知の受信側属性情報を受信側情報として記録し、送信されたセキュアなファイルの送受信便を受信し、前記添付ショートカットファイルに記録された送信側情報と記録された前記受信側情報の双方の情報が同一であるかを認証し、同一との認証が得られたときに、前記添付ショートカットファイルに添付された前記ショートカット情報に基づいて前記クラウドから、前記クラウドに保管された複数の割符をダウンロードして、前記情報提供装置に当該割符を電子的に合成させることで前記電子情報ファイルを復元させるソフトウエアを有して、前記情報受取装置内に形成されること
を特徴とする情報提供装置から情報受取装置に送信されるセキュアなファイルの送受信便システム。
【請求項２】
請求項１に記載されたセキュアなファイルの送受信便システムにおいて、
前記受信側に既知の送信側属性情報及び送信側に既知の受信側属性情報が、相手側の電話番号、住所又は居所、インターネットのアドレス、パスワード、電子メイルアドレスの内のいずれか又はこれらの組み合わせの情報であることを特徴とするセキュアなファイルの送受信便システム。
【請求項３】
セキュアなファイルの送受信便管理装置からネットワークシステム内の送信側の情報提供装置に送信側セキュアなファイルの送受信便システムが、そして受信側の情報受取装置に受信側セキュアなファイルの送受信便システムが提供されて形成されるセキュアなファイルの送受信のためのメールによる送受信便システムであって、
前記送信側セキュアなファイルの送受信便システムが、電子情報ファイルを割符分割して、秘密分散される断片を生成し、当該断片を任意のクラウドへ送信のためにショートカットし、ショートカットすることで生成したショートカット情報を取得し、前記情報提供装置を現すものとして受信側に既知の送信側電話番号と前記情報受取装置を現すものとして送信側に既知の受信側電話番号とからなる送信側情報を取得し、前記ショートカット情報と前記送信側情報とを記録する添付ショートカットファイルを形成し、当該添付ショートカットファイルを添付して、メールで送付可能なセキュアなファイルの送受信便を形成するソフトウエアを有して、前記情報提供装置内に形成され、  
前記受信側セキュアなファイルの送受信便システムが、前記受信側に既知の送信側電話番号又は/及び前記送信側に既知の受信側電話番号を受信側情報として記録し、送信されたセキュアなファイルの送受信便を受信し、前記添付ショートカットファイルに記録された送信側電話番号と記録された前記受信側電話番号の双方の情報が同一であるかを認証し、同一との認証が得られたときに、前記添付ショートカットファイルに添付された前記ショートカット情報に基づいて前記クラウドから、前記クラウドに保管された複数の割符をダウンロードして、前記情報提供装置に当該割符を電子的に合成させることで前記電子情報ファイルを復元させるソフトウエアを有して、前記情報受取装置内に形成されること
を特徴とする情報提供装置から情報受取装置に送信されるセキュアなファイルの送受信便システム。
【請求項４】
請求項１〜３のいずれかに記載された情報提供装置から情報受取装置に送信されるセキュアなファイルの送受信便システムにおいて、
当該セキュアなファイルの送受信便システムを管理するセキュアなファイルの送受信便管理装置によって、前記情報提供装置から前記情報受取装置への当該セキュアなファイルの送受信便の送信情報に基づいて、情報受取装置ごとに、当該情報提供装置から送信された当該セキュアなファイルの送受信便の送信回数あるいは送信された当該セキュアなファイルの送受信便に使用された前記送信側電話番号の使用回数が統計されることを特徴とする情報提供装置から情報受取装置に送信されるセキュアなファイルの送受信便システム。
【請求項５】
セキュアなファイルの送受信便管理装置からネットワークシステム内の送信側の情報提供装置に送信側セキュアなファイルの送受信便システムが、そして受信側の情報受取装置に受信側セキュアなファイルの送受信便システムが提供されて形成されるセキュアなファイルの送受信のためのメールによる送受信便システムによるセキュアなファイルの送受信方法であって、
前記送信側セキュアなファイルの送受信便システムが、電子情報ファイルを割符分割して、秘密分散される断片を生成し、当該断片を任意のクラウドへ送信のためにショートカットし、ショートカットすることで生成したショートカット情報を取得し、前記情報提供装置を現すものとして受信側に既知の送信側属性情報と前記情報受取装置を現すものとして送信側に既知の受信側属性情報とからなる送信側情報を取得し、前記ショートカット情報と前記送信側情報とを記録する添付ショートカットファイルを形成し、当該添付ショートカットファイルを添付して、メールで送付可能なセキュアなファイルの送受信便を形成するソフトウエアを有して、前記情報提供装置内に形成され、当該添付ショートカットファイルを添付して、セキュアなファイルの送受信便で送信し、  
前記受信側セキュアなファイルの送受信便システムが、前記受信側に既知の送信側電話番号又は/及び前記送信側に既知の受信側電話番号を受信側情報として記録し、送信されたセキュアなファイルの送受信便を受信し、前記添付ショートカットファイルに記録された送信側電話番号と記録された前記受信側電話番号の双方の情報が同一であるかを認証し、同一との認証が得られたときに、前記添付ショートカットファイルに添付された前記ショートカット情報に基づいて前記クラウドから、前記クラウドに保管された複数の割符をダウンロードして、前記情報提供装置に当該割符を電子的に合成させることで前記電子情報ファイルを復元させるソフトウエアを有して、前記情報受取装置内に形成され、前記電子情報ファイルを復元すること
を特徴とする情報提供装置から情報受取装置に送信されるセキュアなファイルの送受信便システムによるセキュアなファイルの送受信方法。
【請求項６】
セキュアなファイルの送受信便管理装置からネットワークシステム内の送信側の情報提供装置に送信側セキュアなファイルの送受信便システムが、そして受信側の情報受取装置に受信側セキュアなファイルの送受信便システムが提供されて形成されるセキュアなファイルの送受信のためのメールによる送受信便システムによるセキュアなファイルの送受信便システムによるセキュアなファイルの送受信方法であって、
前記送信側セキュアなファイルの送受信便システムが、電子情報ファイルを割符分割して、秘密分散される断片を生成し、当該断片を任意のクラウドへ送信のためにショートカットし、ショートカットすることで生成したショートカット情報を取得し、前記情報提供装置を現すものとして受信側に既知の送信側電話番号と前記情報受取装置を現すものとして送信側に既知の受信側電話番号とからなる送信側情報を取得し、前記ショートカット情報と前記送信側情報とを記録する添付ショートカットファイルを形成し、当該添付ショートカットファイルを添付して、メールで送付可能なセキュアなファイルの送受信便を形成するソフトウエアを有して、前記情報提供装置内に形成され、当該添付ショートカットファイルを添付して、セキュアなファイルの送受信便で送信し、  
前記受信側セキュアなファイルの送受信便システムが、前記受信側に既知の送信側電話番号又は/及び前記送信側に既知の受信側電話番号を受信側情報として記録し、送信されたセキュアなファイルの送受信便を受信し、前記添付ショートカットファイルに記録された送信側電話番号と記録された前記受信側電話番号の双方の情報が同一であるかを認証し、同一との認証が得られたときに、前記添付ショートカットファイルに添付された前記ショートカット情報に基づいて前記クラウドから、前記クラウドに保管された複数の割符をダウンロードして、前記情報提供装置に当該割符を電子的に合成させることで前記電子情報ファイルを復元させるソフトウエアを有して、前記情報受取装置内に形成され、前記電子情報ファイルを復元すること
を特徴とする情報提供装置から情報受取装置に送信されるセキュアなファイルの送受信便システムによるセキュアなファイルの送受信方法。
【請求項７】
請求項１又は２に記載された前記情報提供装置から前記情報受取装置に送信されるセキュアなファイルの送受信便システムを有して形成されるネットワークシステムにおいて、
前記情報提供装置が、
所定情報を認識することが可能な電子情報について、単独では前記所定情報の認識が不可であり、複数を電子的に合成することによって前記所定情報を認識可能とする複数の割符を作成する割符作成手段、
作成された複数の割符を、通信手段を介して予め特定された記憶機関としてのクラウドにそれぞれ分割して保管させる保管管理手段、
ショートカット情報を生成するショートカット情報生成手段、
セキュアなファイルの送受信便システムの有する添付ショートカットファイル生成手段に、ショートカット情報を提供するショートカット情報提供手段、
を備え、
前記情報受取装置が、
セキュアなファイルの送受信便システムで生成された認証に基づいて、前記クラウドに保管された複数の割符をダウンロードして、電子的に合成することによって元の電子情報ファイルに復元する復元手段、
を備えること
を特徴とするセキュアなファイルの送受信便システムを備えたネットワークシステム。
【請求項８】
ネットワークシステム内で情報提供装置及び情報受取装置として用いられる双方の機能を持つ装置であって、
送信側の情報提供装置として機能するときに、
所定情報を認識することが可能な電子情報について、単独では前記所定情報の認識が不可であり、複数を電子的に合成することによって前記所定情報を認識可能とする複数の割符を作成する割符作成手段、
作成された複数の割符を、通信手段を介して予め特定された記憶機関としてのクラウドにそれぞれ分割して保管させる保管管理手段、
ショートカット情報を生成するショートカット情報生成手段、
セキュアなファイルの送受信便システムの有する添付ショートカットファイル生成手段に、ショートカット情報を提供するショートカット情報提供手段、
を備え、
情報受取側の情報受取装置として機能するときに、
セキュアなファイルの送受信便システムで生成された認証に基づいて、前記クラウドに保管された複数の割符をダウンロードして、電子的に合成することによって元の電子情報ファイルに復元する復元手段、
を備え、
送信側セキュアなファイルの送受信便システムが、電子情報ファイルを割符分割して、秘密分散される断片を生成し、当該断片を任意のクラウドへ送信のためにショートカットし、ショートカットすることで生成したショートカット情報を取得し、前記情報提供装置を現すものとして受信側に既知の送信側属性情報と前記情報受取装置を現すものとして送信側に既知の受信側属性情報とからなる送信側情報を取得し、前記ショートカット情報と前記送信側情報とを記録する添付ショートカットファイルを形成し、当該添付ショートカットファイルを添付して、メールで送付可能なセキュアなファイルの送受信便を形成するソフトウエアを有して、前記情報提供装置内に形成され、
受信側セキュアなファイルの送受信便システムが、前記受信側に既知の送信側属性情報又は/及び前記送信側に既知の受信側属性情報を受信側情報として記録し、送信されたセキュアなファイルの送受信便を受信し、前記添付ショートカットファイルに記録された送信側情報と記録された前記受信側情報の双方の情報が同一であるかを認証し、同一との認証が得られたときに、前記添付ショートカットファイルに添付された前記ショートカット情報に基づいて前記クラウドから、前記クラウドに保管された複数の割符をダウンロードして、前記情報提供装置に当該割符を電子的に合成させることで前記電子情報ファイルを復元させるソフトウエアを有して、前記情報受取装置内に形成されること
を特徴とするネットワークシステム内で情報提供装置及び情報受取装置として用いられる双方の機能を持つ装置。
【手続補正２】
【補正対象書類名】明細書
【補正対象項目名】００３２
【補正方法】変更
【補正の内容】
【００３２】
任意のクラウドに秘密分散された断片が送信のためにショートカットされることで生成されたショートカット情報を取得する。情報提供装置を現すものとして受信側に既知の送信側属性情報と情報受取装置を現すものとして送信側に既知の受信側属性情報とからなる送信側情報を取得し、ショートカット情報と送信側情報とを記録する添付ショートカットファイルを形成し、当該添付ショートカットファイルを添付して、メールで送付可能なセキュアなファイルの送受信便を形成するソフトウエアを有して、情報提供装置内に形成され、当該添付ショートカットファイルを添付して、メールで送付可能なセキュアなファイルの送受信便を形成する。
【手続補正３】
【補正対象書類名】明細書
【補正対象項目名】００６６
【補正方法】変更
【補正の内容】
【００６６】
クラウドセンターの選択とバナー広告の取り込みは次のステップでなされる。    
１）送信者は、添付ショートカットファイル１５をセキュアなファイルの送受信便１４でエクスポートすると、予め複数指定されたクラウドセンター１〜ｎから数式（ランダム）に基づき予め定めた数に選択されたいくつか最適のクラウドセンターにアクセスされる。